(57)【要約】【課題】照射室内における被照射体以外の人の検知の確実性を向上させることができる中性子捕捉療法システムを提供する。【解決手段】  中性子捕捉療法システムは、中性子線を被照射体に照射するシステムであって、中性子線の室内から室外への放射を遮断する遮蔽壁に囲まれ、被照射体を室内に配置して中性子線を照射するための照射室と、照射室の室内に中性子線を照射する中性子線照射部と、照射室内における、被照射体以外の人である対象者を検知する検知部と、検知部によって照射室内における対象者が検知されない状態にならない限り、中性子線照射部に中性子線を照射させない制御部と、を備える。【選択図】図１
2020130643.tif 000002
【特許請求の範囲】
【請求項１】
中性子線を被照射体に照射する中性子捕捉療法システムであって、
前記中性子線の室内から室外への放射を遮断する遮蔽壁に囲まれ、前記被照射体を室内に配置して前記中性子線を照射するための照射室と、
前記照射室の室内に前記中性子線を照射する中性子線照射部と、
前記照射室内における、前記被照射体以外の人である対象者を検知する検知部と、
前記検知部によって前記照射室内における前記対象者が検知されない状態にならない限り、前記中性子線照射部に前記中性子線を照射させない制御部と、
を備える、中性子捕捉療法システム。
【請求項２】
前記検知部は、
前記対象者による前記照射室に入室する旨の入力及び前記照射室から退室する旨の入力を受け付ける受付部と、
前記受付部の前記入力に基づき、前記照射室内における前記対象者が検知されない状態か否かを判定する判定部と、
を有する、請求項１に記載の中性子捕捉療法システム。
【請求項３】
前記遮蔽壁に設けられた出入口を閉じる遮蔽扉をさらに備え、
前記制御部は、前記受付部の入力に基づき前記遮蔽扉の開閉を制御する、請求項２に記載の中性子捕捉療法システム。
【請求項４】
前記検知部は、
光を発光する発光器及び当該発光器からの光を受光する受光器を有する検出器と、
前記検出器の検出結果に基づき、前記照射室内における前記対象者が検知されない状態か否かを判定する判定部と、
を有する、請求項１〜３の何れか一項に記載の中性子捕捉療法システム。
【請求項５】
前記検知部は、
複数の前記検出器と、
複数の前記検出器の検出結果に基づき、前記照射室内における前記対象者の存在を推定する推定部と、
を有する請求項４に記載の中性子捕捉療法システム。
【請求項６】
前記検知部は、
前記照射室内において熱源の移動を感知する熱感知部と、
前記熱感知部における感知の結果に基づき、前記照射室内における前記対象者が検知されない状態か否かを判定する判定部と、
を有する、請求項１〜５の何れか一項に記載の中性子捕捉療法システム。
【請求項７】
前記熱感知部は、少なくとも前記被照射体が配置された場所を除く前記照射室内における前記熱源の移動を感知する、請求項６に記載の中性子捕捉療法システム。
【発明の詳細な説明】
【技術分野】
【０００１】
本開示は、中性子捕捉療法システムに関する。
【背景技術】
【０００２】
特許文献１には、中性子捕捉療法（ＮＣＴ：ＮＥＵＴＲＯＮ  ＣＡＰＴＵＲＥ  ＴＨＥＰＡＲＴＹ）に利用される中性子捕捉療法システムが記載されている。このシステムを用いたＮＣＴ治療では、まず、患者に対して薬剤が投与される。この薬剤は、１０Ｂなどの中性子と反応する物質を含み、治療すべきがん細胞に選択的に取り込まれる性質を有している。そして、薬剤が投与された患者に対して中性子線を照射すると、患者のがん細胞に取り込まれた反応物質と中性子線とが反応して、重荷電粒子が発生する。この重荷電粒子の飛散によってがん細胞だけを選択的に破壊する。
【先行技術文献】
【特許文献】
【０００３】
【特許文献１】特開２０１７−０４２３１０号公報
【発明の概要】
【発明が解決しようとする課題】
【０００４】
ところで、中性子線の照射は、照射室内から被照射体（患者）以外の人（例えば、医師や放射線技師などの作業者）が退室した状態で行うことの確実性の向上が求められている。しかしながら、照射室内における被照射体以外の人が在室しているか否かの検知は作業者の目視によって行われているため、確実性の向上の余地がある。
【０００５】
上記事情に鑑み、本発明は、照射室内における被照射体以外の人の検知の確実性を向上させることができる中性子捕捉療法システムを提供することを目的とする。
【課題を解決するための手段】
【０００６】
本発明の一形態は、中性子線を被照射体に照射する中性子捕捉療法システムである。この中性子捕捉療法システムは、中性子線の室内から室外への放射を遮断する遮蔽壁に囲まれ、被照射体を室内に配置して中性子線を照射するための照射室と、照射室の室内に中性子線を照射する中性子線照射部と、照射室内における、被照射体以外の人である対象者を検知する検知部と、検知部によって照射室内における対象者が検知されない状態にならない限り、中性子線照射部に中性子線を照射させない制御部と、を備える。
【０００７】
この中性子捕捉療法システムでは、被照射体は、照射室内に配置される。被照射体以外の人である対象者が照射室内にいる場合、検知部により検知される。制御部は、検知部によって、照射室内における対象者が検知されない状態にならない限り、中性子線照射部に中性子線を照射させない。検知部によって照射室内における対象者が検知されない状態になった場合、中性子線照射部は、被照射体への中性子線の照射を開始する。このため、検知部の検知の結果に基づき、照射室内における対象者を退室させたうえで、中性子線照射部による中性子線の照射を開始することができる。従って、照射室内における被照射体以外の人の検知の確実性を向上させることができる。
【０００８】
また、検知部は、対象者による照射室に入室する旨の入力及び照射室から退室する旨の入力を受け付ける受付部と、受付部の入力に基づき、照射室内における対象者が検知されない状態か否かを判定する判定部と、を有する。このような検知部によれば、受付部において対象者が入室する旨又は退室する旨が入力されることで、判定部において照射室内における対象者が検知されないか否かが判定される。従って、検知部は容易に照射室内における対象者を検知することができる。
【０００９】
また、遮蔽壁に設けられた出入口を閉じる遮蔽扉をさらに備え、制御部は、受付部の入力に基づき遮蔽扉の開閉を制御する。この場合、照射室内における対象者は、受付部における入力及び制御部における遮蔽扉の開閉に基づいて管理される。従って、判定部は、照射室内における対象者が検知されないか否かについて高い精度で判定することができる。
【００１０】
また、検知部は、光を発光する発光器及び当該発光器からの光を受光する受光器を有する検出器と、検出器の検出結果に基づき、照射室内における対象者が検知されない状態か否かを判定する判定部と、を有する。このような検出器は、光を用いることで対象者の入退室の動作を自動的に検出することができる。従って、判定部は対象者の動きに制限を設けることなく、容易に照射室内における対象者が検知されないか否かを判定することができる。
【００１１】
また、検知部は、複数の検出器と、複数の検出器の検出結果に基づき、照射室内における対象者の存在を推定する推定部と、を有する。このような推定部によれば、複数の検出器の検出タイミングの差などに基づき、対象者が入室方向へ移動しているか、退出方向へ移動しているかを推定することで、照射室内における対象者の存在を推定することができる。また、被照射体は対象者と比較して大きな治療台に載せられて入室するため、複数の検出器が同時に反応する。そのため、推定部は、照射室内に入室又は退室する対象者と、対象者以外の被照射体又は物体との区別をした上で、照射室内における対象者の存在を推定することができる。従って、判定部は、照射室内における対象者が検知されないか否かについて高い精度で判定することができる。
【００１２】
また、検知部は、照射室内において熱源の移動を感知する熱感知部と、熱感知部における感知の結果に基づき、照射室内における対象者が検知されない状態か否かを判定する判定部と、を有する。このような熱感知部によれば、直接、照射室内における対象者を感知することができる。従って、判定部は、容易に照射室内における対象者が検知されないか否かを判定することができる。
【００１３】
また、熱感知部は、少なくとも被照射体が配置された場所を除く照射室内における熱源の移動を感知する。このような熱感知部によれば、照射室内に配置された被照射体が動いた場合であっても、その被照射体を照射室内における対象者と誤検知することが抑制される。従って、判定部は、照射室内における対象者が検知されないか否かを高い精度で判定することができる。
【発明の効果】
【００１４】
本発明の中性子捕捉療法システムによれば、照射室内における被照射体以外の人の検知の確実性を向上させることができる。
【図面の簡単な説明】
【００１５】
【図１】図１は、第１実施形態に係る中性子捕捉療法システムを模式的に示す平面図である。
【図２】図２は、第１実施形態に係る照射室内における対象者の検知過程を示すフローチャートである。
【図３】図３は、第１実施形態に係る照射室内における対象者の検知過程を示すフローチャートである。
【図４】図４は、第２実施形態に係る中性子捕捉療法システムを模式的に示す平面図である。
【図５】図５は、第２実施形態に係る照射室内における対象者の検知過程を示すフローチャートである。
【図６】図６は、第３実施形態に係る中性子捕捉療法システムを模式的に示す側面図である。
【図７】図７は、第３実施形態に係る熱感知部の感知範囲を模式的に示す平面図である。
【図８】図８は、第３実施形態に係る照射室内における対象者の検知過程を示すフローチャートである。
【発明を実施するための形態】
【００１６】
以下、図面を参照して本発明の実施形態について詳細に説明する。なお、以下の説明において、同一又は相当要素には同一の符号を付し、重複する説明を省略する。各図には、ＸＹＺ座標系を設定し、各構成要素の位置関係の説明にＸ，Ｙ，Ｚを用いるものとする。ここで、Ｘ軸は中性子線生成部８から出射される中性子線Ｎの出射方向であり、Ｚ軸は床面に対して垂直方向である。また、Ｙ軸は中性子線Ｎの出射方向（Ｘ軸方向）と床面に対して垂直方向（Ｚ軸方向）のそれぞれに直交する方向である。
【００１７】
＜第１実施形態＞
中性子捕捉療法システムは、ホウ素中性子捕捉療法（ＢＮＣＴ：Ｂｏｒｏｎ  Ｎｅｕｔｒｏｎ  Ｃａｐｔｕｒｅ  Ｔｈｅｒａｐｙ）を用いたがん治療を行う装置である。中性子捕捉療法は、ホウ素（１０Ｂ）が投与された患者（被照射体の一例）に対する中性子線の照射によりがん治療を行う。
【００１８】
図１は、第１実施形態に係る中性子捕捉療法システムを模式的に示す平面図である。図１に示されるように、中性子捕捉療法システム１は、治療用の中性子線Ｎを発生させて照射するための中性子線照射部２と、患者Ｓ（被照射体の一例）に中性子線Ｎを照射するための照射室３と、中性子線照射部２における中性子線Ｎの照射を制御するための制御装置１０と、照射室３内における患者Ｓ以外の人である対象者Ｃを検知する検知部２０と、を備える。対象者Ｃとは、例えば、患者Ｓを照射室３内に配置する作業者、照射室３内のメンテナンスを行う作業者、照射室３周辺の見学者又はそれらの付き添いの人などである。中性子捕捉療法システム１は、照射準備を行うための準備室４と、作業工程を管理するための管理室６と、を備えうる。
【００１９】
中性子線照射部２は、照射室３の室内に中性子線Ｎを発生させて患者Ｓへ中性子線Ｎを照射可能に構成されている。中性子線照射部２は、サイクロトロンといった加速器７と、荷電粒子線Ｐから中性子線Ｎを生成する中性子線生成部８と、荷電粒子線Ｐを中性子線生成部８へ輸送するビーム輸送路１２と、を備えている。加速器７及びビーム輸送路１２は、荷電粒子線生成室１１の室内に配置されている。荷電粒子線生成室１１は、コンクリート製の遮蔽壁Ｗに覆われた閉鎖空間である。
【００２０】
加速器７は、陽子である荷電粒子を加速して、陽子線である荷電粒子線Ｐを作り出し、出射する。加速器７は、例えば、ビーム半径４０ｍｍ、６０ｋＷ（＝３０ＭｅＶ×２ｍＡ）の荷電粒子線Ｐを生成する能力を有している。
【００２１】
ビーム輸送路１２は、荷電粒子線Ｐを中性子線生成部８に出射する。ビーム輸送路１２は、一端側が加速器７に接続され、他端側が中性子線生成部８に接続されている。なお、ビーム輸送路１２には、必要に応じて、ビーム調整部、電流モニタ、荷電粒子線走査部といったビーム制御装置が設けられていてもよい。ビーム調整部は、荷電粒子線Ｐの進行方向やビーム径を制御する。電流モニタは、荷電粒子線Ｐの電流値（つまり、電荷、照射線量率）をリアルタイムで測定する。荷電粒子線走査部は、荷電粒子線Ｐを走査し、荷電粒子線ＰのターゲットＴに対する照射位置を制御する。
【００２２】
中性子線生成部８は、中性子線Ｎを生成するためのターゲットＴと、中性子線Ｎを減速するための減速材８ａと、遮蔽体８ｂとを含んでいる。なお、減速材８ａ及び遮蔽体８ｂは、モデレータを構成する。
【００２３】
ここで、中性子線生成部８において生成される中性子線Ｎは、速中性子線、熱外中性子線、熱中性子線及びガンマ線を含んでいる。このうちの熱中性子線が、主に、患者Ｓの体内の腫瘍中に取り込まれたホウ素と核反応して有効な治療効果を発揮する。なお、中性子線Ｎのビームに含まれる熱外中性子線の一部も、患者Ｓの体内で減速されて上記治療効果を発揮する熱中性子線となる。熱中性子線は、０．５ｅＶ以下のエネルギーの中性子線である。
【００２４】
ターゲットＴは、荷電粒子線Ｐの照射を受けて中性子線Ｎを発生させるものである。ターゲットＴは、例えば、ベリリウム（Ｂｅ）により形成され、直径１６０ｍｍの円板状をなしている。
【００２５】
減速材８ａは、ターゲットＴから出射される中性子線Ｎを減速させるものである。減速材８ａにより減速されて所定のエネルギーに低減された中性子線Ｎは治療用中性子線とも呼ばれる。減速材８ａは、例えば異なる複数の材料から成る積層構造とされている。減速材８ａの材料は、荷電粒子線Ｐのエネルギーなどの諸条件によって適宜選択される。
【００２６】
例えば、加速器７からの出力が３０ＭｅＶの陽子線であり、ターゲットＴとしてベリリウムターゲットを用いる場合には、減速材８ａの材料は、鉛、鉄、アルミニウム、又はフッ化カルシウムとすることができる。また、加速器７からの出力が１１ＭｅＶの陽子線であり、ターゲットＴとしてベリリウムターゲットを用いる場合には、減速材８ａの材料は、重水（Ｄ２Ｏ）又はフッ化鉛とすることができる。また、加速器７からの出力が２．８ＭｅＶの陽子線であり、ターゲットＴとしてリチウムターゲットを用いる場合には、減速材８ａの材料は、フルエンタール（商品名；アルミニウム、フッ化アルミ、フッ化リチウムの混合物）とすることができる。また、加速器７からの出力が５０ＭｅＶの陽子線であり、ターゲットＴとしてタングステンターゲットを用いる場合には、減速材８ａの材料は、鉄又はフルエンタールとすることができる。
【００２７】
遮蔽体８ｂは、中性子線Ｎ及び当該中性子線Ｎの発生に伴って生じたガンマ線などの放射線が外部へ放出されないよう遮蔽するものであり、荷電粒子線生成室１１と照射室３とを隔てる遮蔽壁Ｗ１に少なくともその一部が埋め込まれている。
【００２８】
中性子捕捉療法システム１において、照射室３と準備室４とは連絡室１４を介して繋がっている。
【００２９】
照射室３は、中性子線Ｎを患者Ｓに照射するために、患者Ｓが室内に配置される部屋である。照射室３は、ビーム輸送路１２が延びた方向の延長線上に配置されている。照射室３の大きさは、一例として幅３．５ｍ×奥行５ｍ×高さ３ｍである。照射室３は、遮蔽壁Ｗ２に囲まれた遮蔽空間３ａと、患者Ｓが出入りする出入口３ｂと、出入口３ｂを開放及び閉鎖する遮蔽扉Ｄ１とにより構成されている。
【００３０】
遮蔽壁Ｗ２は、遮蔽空間３ａを形成する。この遮蔽空間３ａでは、照射室３の室外から室内へ放射線が侵入すること、及び、室内から室外へ放射線が放出されることが抑制されている。すなわち、遮蔽壁Ｗ２は、照射室３の室内から室外への中性子線Ｎの放射を遮断する。この遮蔽壁Ｗ２は、荷電粒子線生成室１１を画成する遮蔽壁Ｗと一体に形成されている。また、遮蔽壁Ｗ２は、厚さが２ｍ以上のコンクリート製の壁である。荷電粒子線生成室１１と照射室３の間には、荷電粒子線生成室１１と照射室３とを隔てる遮蔽壁Ｗ１が設けられている。この遮蔽壁Ｗ１は、遮蔽壁Ｗの一部をなしている。
【００３１】
遮蔽壁Ｗ２の一部には、出入口３ｂが設けられている。そして、この出入口３ｂには、遮蔽扉Ｄ１が配置されている。遮蔽扉Ｄ１は、遮蔽空間３ａにおける放射線が連絡室１４に放射されることを抑制するためのものである。遮蔽扉Ｄ１は、鉛などの放射線遮蔽部材からなる。遮蔽扉Ｄ１は、照射室３の室内に設けられたレール上をモータなどにより駆動力を与えられて移動する。遮蔽扉Ｄ１が重量物であるため、遮蔽扉Ｄ１を駆動するための機構には、高トルクモータや減速器などが用いられる。
【００３２】
準備室４は、患者Ｓに中性子線Ｎを照射するために必要な準備作業を実施するための部屋である。準備作業には、例えば、治療台１５への患者Ｓの拘束や、コリメータと患者Ｓとの位置合わせなどがある。治療台１５は、例えば移動式ベッド又は車椅子などである。準備室４は、Ｙ軸方向に沿って照射室３から離間するように配置されている。準備室４と照射室３との間には、準備室４と照射室３とを隔てる遮蔽壁Ｗ３が設けられている。遮蔽壁Ｗ３の厚さは、例えば３．２ｍである。すなわち、準備室４と照射室３とは、Ｙ軸方向に沿って３．２ｍだけ離間している。
【００３３】
なお、準備室４は、他の用途の部屋として用いられてもよい。準備室４は、照射室３のように遮蔽壁Ｗに囲まれた遮蔽空間であってもよいし、遮蔽壁Ｗに囲まれていない非遮蔽空間であってもよい。
【００３４】
遮蔽壁Ｗ３には、準備室４から照射室３まで連通する連絡室１４が設けられている。連絡室１４は、患者Ｓを拘束した治療台１５を準備室４と照射室３との間で移動させるための部屋である。連絡室１４の大きさは、一例として幅１．５ｍ×奥行３．２ｍ×高さ２．０ｍである。準備室４と連絡室１４との間には、扉Ｄ２が配置されている。
【００３５】
管理室６は、中性子捕捉療法システム１を用いて実施される全体工程を管理するための部屋である。管理室６には管理者が入室し、管理室６の室内に配置された中性子線照射部２を操作するための制御装置１０を用いて全体工程を管理する。
【００３６】
制御装置１０は、例えば、コンピュータなどの制御装置から構成される。制御装置１０のハードウェアは、例えば、ＣＰＵ（Central Processing Unit）、ＲＯＭ（Read OnlyMemory）、ＲＡＭ（Random Access Memory）、Ａ／Ｄ変換回路、Ｄ／Ａ変換回路、通信用Ｉ／Ｆ（インターフェース）回路を搭載した回路（制御）基板から構成される。ＣＰＵ、ＲＯＭ、ＲＡＭ、Ａ／Ｄ変換回路、Ｄ／Ａ変換回路、及び通信用Ｉ／Ｆ回路は、バスに接続されている。なお、Ａ／Ｄ変換回路、及びＤ／Ａ変換回路は入出力用Ｉ／Ｆ回路を介してバスに接続される。
【００３７】
制御装置１０は、照射制御部１６（制御部の一例）、運転制御部１７、記録部１８、及び判定部４０を有する。記録部１８及び判定部４０は、検知部２０に含まれる。検知部２０は、照射室３内における対象者Ｃを検知する。
【００３８】
照射制御部１６は、管理者による指令に基づいて、中性子線Ｎの照射の開始及び停止を制御する。管理者は、例えば、制御装置１０に接続されたタッチパネルに表示される画面を操作することで中性子線Ｎの照射の開始及び停止を指令する。また、照射制御部１６は、検知部２０の検知結果に基づいて中性子線Ｎの照射の開始及び停止を制御する。中性子線Ｎの照射の開始の制御とは、例えば、加速器７からの荷電粒子線Ｐの出射開始の制御である。例えば、照射制御部１６が中性子線Ｎの照射を開始する旨の信号である照射開始信号を中性子線照射部２に送信することで、中性子線照射部２は照射室３内に中性子線Ｎを照射する。例えば、照射制御部１６が中性子線Ｎの照射を停止する旨の信号である照射停止信号を中性子線照射部２に送信することで、中性子線照射部２は照射室３内への中性子線Ｎの照射を停止する。
【００３９】
ここで、中性子捕捉療法では、一人の患者Ｓに対して中性子線Ｎの照射を一度限りとする扱いを現状採用している。このため、中性子捕捉療法においては、一度照射し始めた患者Ｓへの中性子線Ｎの照射を途中で中断することは好ましくない。一方で、万が一、対象者Ｃが照射室３内に残っている状態で中性子線Ｎの照射が行われた場合では、中性子線Ｎの照射を中断せざるを得ない。したがって、照射室３内における対象者Ｃの検知の確実性を向上させることで、中性子線Ｎの照射時において照射室３内に対象者Ｃが残っているという事象の発生を抑制し、患者Ｓに対する中性子線Ｎの照射の中断を抑制することができる。
【００４０】
具体的には、照射制御部１６は、検知部２０によって照射室３内における対象者Ｃが検知されない状態にならない限り、中性子線照射部２によって照射室３内に中性子線Ｎを照射させない。照射制御部１６は、他のどのような条件が満たされている状態であっても、上記条件が満たされない限りは、中性子線照射部２に中性子線Ｎを照射させない状態である。照射制御部１６は、上記条件が満たされたとしても、他の条件を満たしたうえで、中性子線照射部２が中性子線Ｎの照射を許容する状態としてもよい。
【００４１】
照射制御部１６が、中性子線照射部２によって照射室３内に中性子線Ｎを照射させない手法を説明する。照射制御部１６は、中性子線照射部２に中性子線Ｎを発生させないように、制御上の規制をかけてよい。例えば、照射制御部１６は、管理者による指令を受け付けなくてもよい。この場合、照射制御部１６は、上記条件を満たさない限り、管理者が操作可能なタッチパネルに表示される画面に中性子線Ｎの照射を開始させる選択肢を表示させない。また、照射制御部１６は、管理者による指令を受け付けても、中性子線照射部２に送信される照射開始信号を生成しなくてもよい。照射開始信号が生成された状態であっても、照射制御部１６は中性子線照射部２に送信される前に制御上ブロックする。
【００４２】
中性子線照射部２が照射開始信号を受け取る場合には、照射制御部１６は、中性子線照射部２の機構を制御することで、照射室３内に中性子線Ｎを発生させないよう規制してよい。例えば、照射制御部１６は、加速器７における荷電粒子線Ｐの生成又は照射、又はビーム輸送路１２における荷電粒子線Ｐの輸送などの少なくともいずれかにおいて、照射室３内に中性子線Ｎが照射されないように規制してもよい。照射制御部１６は中性子線生成部８の遮蔽体８ｂによって照射室３内に中性子線Ｎが照射されないよう遮蔽してもよい。照射制御部１６は、中性子線照射部２に設けた他の中性子線Ｎの遮蔽機構を用いて照射室３内に中性子線Ｎを発生させないよう規制してもよい。
【００４３】
また、照射制御部１６は、「中性子線照射部２に中性子線Ｎを照射させない状態」から「中性子線照射部２による中性子線Ｎの照射を許容する状態」に切り替える。この切り替えは、検知部２０によって照射室３内における対象者Ｃが検知されない状態になった場合に行われる。例えば、照射制御部１６は、照射禁止フラグのＯＮ／ＯＦＦを切り替える。検知部２０によって照射室３内における対象者Ｃが検知されない状態にならない場合、照射禁止フラグがＯＮになる。照射禁止フラグがＯＮとなっているときは、上記のような制御上での照射の規制、又は機構的に照射の規制が行われる。検知部２０によって照射室３内における対象者Ｃが検知されない状態になった場合、照射禁止フラグがＯＦＦになる。照射禁止フラグがＯＦＦとなっているとき、照射制御部１６は、管理者の指令に従って照射開始信号を中性子線照射部２に送信することで、中性子線照射部２によって照射室３内に中性子線Ｎを照射させる。
【００４４】
運転制御部１７は、遮蔽扉Ｄ１の開閉を制御する。運転制御部１７は、例えば、検知部２０における検知結果に基づき、遮蔽扉Ｄ１を開放又は閉塞する。
【００４５】
記録部１８は、検知部２０によって検知された照射室３内における対象者Ｃの在室情報を記録する。在室情報は、対象者Ｃの個人を特定できる情報又は照射室３内における対象者Ｃの人数の少なくともいずれかを含む。記録部１８の在室情報は、予め定められた所定の時間ごとに更新される。
【００４６】
検知部２０は、受付部３０を有する。受付部３０は、照射室３、準備室４又は連絡室１４などに設けられる。受付部３０は、対象者Ｃによる照射室３に入室する旨の入力及び照射室３から退室する旨の入力を受け付ける。制御装置１０は、受付部３０によって受け付けられた入力に基づき、記録部１８に在室情報を記録する。なお、受付部３０が記録部１８に在室情報を直接記録してもよい。
【００４７】
受付部３０は、例えば、扉前受付部３１を有する。扉前受付部３１は、対象者Ｃによる照射室３に入室する旨の入力及び照射室３から退室する旨の入力を受け付ける。扉前受付部３１は、例えば連絡室１４に設けられる。扉前受付部３１の形式は、例えば、カードリーダ、タッチパネル、又はボタンなどである。
【００４８】
扉前受付部３１がカードリーダの場合、対象者Ｃは、対象者Ｃと一対一に対応したＩＤカードを扉前受付部３１にかざすことによって、照射室３に入室する旨の入力または退室する旨の入力をすることができる。例えば、ＩＤカードを扉前受付部３１に奇数回目にかざした場合、照射室３に入室する旨の入力とし、ＩＤカードを扉前受付部３１に偶数回目にかざした場合、照射室３から退室する旨の入力とする。
【００４９】
扉前受付部３１がタッチパネルの場合、例えば、扉前受付部３１は、照射室３に入室する旨又は照射室３から退室する旨の選択肢を画面上に表示する。対象者Ｃは、扉前受付部３１に示された選択肢を選択することによって照射室３に入室する旨の入力又は照射室３から退室する旨の入力を行う。
【００５０】
扉前受付部３１がボタンの場合、例えば、対象者Ｃは、扉前受付部３１に設けられた照射室３に入室する旨のボタン又は照射室３から退室する旨のボタンを選択して押すことによって照射室３に入室する旨の入力又は照射室３から退室する旨の入力をすることができる。扉前受付部３１の形式では、例えば、カードリーダ、タッチパネル、又はボタンなどのうち、二以上を併用してもよい。
【００５１】
判定部４０は、例えば、記録部１８における在室情報に基づき、照射室３内における対象者Ｃが検知されない状態か否かを判定する。判定部４０は、例えば、受付部３０により更新された記録部１８における在室情報に基づき、照射室３内における対象者Ｃが検知されない状態か否かを判定する。
【００５２】
具体的には、少なくとも一人の対象者Ｃが受付部３０において入室する旨の入力をし、かつ、受付部３０において退室する旨の入力を行わない場合、在室情報は、照射室３内に少なくとも一人の対象者Ｃが残っていることを示す。この場合、判定部４０は照射室３内において対象者Ｃが検知されない状態（すなわち対象者Ｃが一人でも検知されている状態）ではないと判定する。この場合、照射制御部１６は、判定部４０の判定の結果に基づき、照射禁止フラグをＯＮとし、中性子線照射部２によって中性子線Ｎを照射させない。
【００５３】
また、全ての対象者Ｃが受付部３０において入室する旨の入力をし、かつ、受付部３０において退室する旨の入力をした場合、在室情報は、全ての対象者Ｃが退室し、照射室３内には対象者Ｃが一人も残っていないことを示す。この場合、判定部４０は照射室３内において対象者Ｃが検知されない状態であると判定する。照射制御部１６は、判定部４０の判定の結果に基づき、照射禁止フラグをＯＦＦとし、中性子線照射部２によって中性子線Ｎを照射させる。なお、判定部４０は、在室情報から在室人数だけを参照することで判定を行ってもよく、受付部３０の入力状況だけを取得して当該入力状況から在室人数を演算することで判定を行ってもよい。
【００５４】
運転制御部１７は、在室情報において照射室３内に少なくとも一人の対象者Ｃが存在していると示される場合には、遮蔽扉Ｄ１を開放した状態とする。対象者Ｃが照射室３内に存在している状態での中性子線Ｎの照射はなされないため、照射制御部１６は、遮蔽扉Ｄ１が開放されている状態での中性子線Ｎの照射は行わない。また、運転制御部１７は、在室情報において照射室３内に全ての対象者Ｃが存在していないと示される場合には、遮蔽扉Ｄ１を閉塞した状態とする。対象者Ｃが照射室３内に存在していない状態では中性子線Ｎの照射が可能なため、照射制御部１６は、遮蔽扉Ｄ１が閉塞された状態において中性子線Ｎの照射を行う。
【００５５】
運転制御部１７は、受付部３０に入力がない限り遮蔽扉Ｄ１を開閉しなくてもよい。このとき、受付部３０において照射室３に入室する旨の入力がない場合、遮蔽扉Ｄ１は閉塞している状態である。これにより、受付部３０を介さない場合において、対象者Ｃの照射室３内への入室を抑制することができる。また、扉前受付部３１の形式が複数併用されている場合、各形式における照射室３に入室する旨の入力又は照射室３から退室する旨の入力が一致しない限り、扉前受付部３１又は判定部４０は、対象者Ｃによる入力を受け付けたこととはしなくてもよい。
【００５６】
次に、受付部３０及び判定部４０において、対象者Ｃが照射室３に入室した後に退室する過程である第１受付過程を説明する。図２は、第１実施形態に係る照射室内における対象者の検知過程を示すフローチャートである。図２に示すように、第１受付過程Ｓ１００では、まず、入室入力処理（Ｓ２）として、連絡室１４に設けられた扉前受付部３１は、少なくとも一人の対象者Ｃによる照射室３に入室する旨の入力を受け付ける。少なくとも一人の対象者Ｃが扉前受付部３１に入力しない場合、遮蔽扉Ｄ１が閉塞している状態であるため、対象者Ｃは照射室３内に入室することはできない。
【００５７】
続いて、入室記録処理（Ｓ４）として、制御装置１０は、扉前受付部３１における対象者Ｃの入力に基づき、記録部１８において在室情報を記録する。このとき、在室情報は、扉前受付部３１における入室する旨を入力した少なくとも一人の対象者Ｃが照射室３内に残っていることを示す。
【００５８】
続いて、扉開放処理（Ｓ６）として、運転制御部１７は、扉前受付部３１における対象者Ｃによる照射室３に入室する旨の入力に基づき、遮蔽扉Ｄ１を開放する。対象者Ｃは、照射室３に入室した後、照射室３内での行動を行う。続いて、退室入力処理（Ｓ２２）として、扉前受付部３１は、対象者Ｃによる照射室３から退室する旨の入力を受け付ける。
【００５９】
続いて、退室記録処理（Ｓ２４）として、制御装置１０は、扉前受付部３１における対象者Ｃの入力に基づき、記録部１８において在室情報を記録する。このとき、在室情報は、扉前受付部３１における退室する旨を入力した当該対象者Ｃは照射室３内に残っていないことを示す。
【００６０】
続いて、在室判定処理（Ｓ２６）として、判定部４０は、記録部１８の在室情報に基づき、照射室３内における対象者Ｃが検知されない状態か否かを判定する。記録部１８が照射室３内の全ての対象者Ｃがいない旨の在室情報のみを有する場合、判定部４０は、照射室３内における対象者Ｃが検知されない状態であると判定する。
【００６１】
在室判定処理（Ｓ２６）において、記録部１８が照射室３内の少なくとも一人の対象者Ｃがいる旨の在室情報を有する場合、判定部４０は、照射室３内における対象者Ｃが検知されない状態ではない（すなわち対象者Ｃが一人でも検知されている状態）と判定する。記録部１８が照射室３内の対象者Ｃがいる旨の在室情報には、例えば、対象者Ｃが複数人である場合、扉前受付部３１において照射室３に入室する旨の入力をした複数の対象者のうち、一人でも退室する旨の入力をしていない場合などが含まれる。この場合、照射制御部１６における照射禁止フラグはＯＮのままである。制御装置１０は、予め定められた所定の時間後に再び在室判定処理（Ｓ２６）を行う。この場合、制御装置１０は、対象者Ｃ又は管理者に確認するように警告を報知させてもよい。その後、他の対象者Ｃにより退室入力処理（Ｓ２２）と、退室記録処理（Ｓ２４）とが実行され、在室判定処理（Ｓ２６）において再び全ての対象者Ｃが照射室３から退室しているかが判定される。
【００６２】
在室判定処理（Ｓ２６）において、判定部４０により照射室３内における対象者Ｃが検知されない状態であると判定された場合、続いて、扉閉塞処理（Ｓ２８）として、運転制御部１７は、記録部１８の在室情報に基づき、遮蔽扉Ｄ１を閉塞する。
【００６３】
続いて、照射処理（Ｓ３０）として、制御装置１０は、中性子線照射部２を介して中性子線Ｎを照射させる。判定部４０により照射室３内における対象者Ｃが検知されない状態であると判定された場合、照射制御部１６における照射禁止フラグはＯＦＦとなる。例えば、制御装置１０は、制御装置１０に接続されたタッチパネルの画面に中性子線Ｎの照射を開始させる選択肢を表示させ、入力を可能とする。これにより、管理者は、自身の目視と共に検知部２０による確認を行ったうえで中性子線照射部２による中性子線Ｎの照射を開始することができる。
【００６４】
再び図１を参照する。受付部３０は、扉後受付部３２をさらに有してもよい。扉後受付部３２は、照射室３内に設けられる。扉後受付部３２は、例えば、カードリーダ、タッチパネル、ボタン、又はこれらの組み合わせなどである。扉後受付部３２は、扉前受付部３１と同様の形式であってもよい。記録部１８は、扉後受付部３２によって受け付けられた入力に基づき、照射室３内における対象者Ｃの在室情報を記録する。記録部１８において、対象者Ｃにより扉前受付部３１及び扉後受付部３２に入力され、記録された在室情報がそれぞれ一致しない場合、制御装置１０は、当該対象者Ｃ又は管理者に確認するように警告を報知してもよい。記録部１８の在室情報において、扉前受付部３１及び扉後受付部３２に入室する旨を入力した全ての対象者Ｃにより扉前受付部３１及び扉後受付部３２に対して退室する旨が入力された記録になっていない限り、判定部４０は、照射室３内における対象者Ｃが検知されない状態ではない（すなわち対象者Ｃが一人でも検知されている状態）と判定する。
【００６５】
なお、扉前受付部３１のみに入室する旨を入力した対象者Ｃは、扉前受付部３１のみに退室する旨を入力した場合、在室情報は、当該対象者Ｃにより退室する旨が入力された記録となる。扉後受付部３２のみに入室する旨を入力した対象者Ｃは、扉後受付部３２のみに退室する旨を入力した場合、在室情報は、当該対象者Ｃにより退室する旨が入力された記録となる。記録部１８の在室情報において扉後受付部３２のみに入室する旨を入力した対象者Ｃが記録された場合、制御装置１０は、例えば異常を報知する。制御装置１０は、当該対象者Ｃに扉前受付部３１において入室する旨の入力を行うよう情報を報知し、促してもよい。
【００６６】
扉後受付部３２において照射室３内に入室した対象者Ｃによって入室した旨が入力されることにより、運転制御部１７は遮蔽扉Ｄ１を閉塞させる。扉後受付部３２において、照射室３から退室する対象者Ｃによって退室する旨が入力されることにより、運転制御部１７は遮蔽扉Ｄ１を開放させる。
【００６７】
受付部３０が扉後受付部３２をさらに有する場合における、対象者Ｃが照射室３に入室した後に退室する過程である第２受付過程を説明する。図３は、第１実施形態に係る照射室内における対象者の検知過程を示すフローチャートである。図３に示すように、第２受付過程Ｓ２００は、第１受付過程Ｓ１００が含む処理と同一の処理を含む。第２受付過程Ｓ２００における制御装置１０は、まず、第１受付過程Ｓ１００における入室入力処理（Ｓ２）と、入室記録処理（Ｓ４）と、扉開放処理（Ｓ６）と同一の処理を実行する。
【００６８】
第２受付過程Ｓ２００は、第１受付過程Ｓ１００における扉開放処理（Ｓ６）と退室入力処理（Ｓ２２）との間に、入室完了入力処理（Ｓ１０）、入室完了記録処理（Ｓ１２）、入室時扉閉塞処理（Ｓ１４）、退室開始入力処理（Ｓ１６）、退室開始記録処理（Ｓ１８）及び退室時扉開放処理（Ｓ２０）を順に有する。
【００６９】
入室完了入力処理（Ｓ１０）として、照射室３内に設置された扉後受付部３２は、対象者Ｃによる照射室３内に入室した旨の入力を受け付ける。続いて、入室完了記録処理（Ｓ１２）として、制御装置１０は、扉後受付部３２における対象者Ｃの入力に基づき、記録部１８において在室情報を記録する。続いて、入室時扉閉塞処理（Ｓ１４）として、運転制御部１７は、記録部１８の在室情報に基づき、遮蔽扉Ｄ１を閉塞する。これにより、扉前受付部３１において入力をしない対象者Ｃが照射室３内に入室することが抑制される。対象者Ｃは、照射室３に入室した後、照射室３内での行動を行う。
【００７０】
退室開始入力処理（Ｓ１６）として、照射室３内に設置された扉後受付部３２は、対象者Ｃによる照射室３内から退室する旨の入力を受け付ける。続いて、退室開始記録処理（Ｓ１８）として、制御装置１０は、扉後受付部３２における対象者Ｃの入力に基づき、記録部１８において在室情報を記録する。続いて、退室時扉開放処理（Ｓ２０）として、運転制御部１７は、記録部１８の在室情報に基づき、遮蔽扉Ｄ１を開放する。扉前受付部３１において、他の対象者Ｃが照射室３から退室する旨の入力をした場合に遮蔽扉Ｄ１が閉塞した場合であっても、照射室３内の対象者Ｃは扉後受付部３２において退室する旨の入力をすることができる。これにより、対象者Ｃが照射室３内に残存することが抑制される。
【００７１】
続いて、第２受付過程Ｓ２００における制御装置１０は、第１受付過程Ｓ１００における退室入力処理（Ｓ２２）と、退室記録処理（Ｓ２４）と同一の処理を実行する。続いて、在室判定処理（Ｓ２６）として、判定部４０は、記録部１８の在室情報に基づき、照射室３内における対象者Ｃが検知されない状態か否かを判定する。記録部１８が照射室３内の全ての対象者Ｃがいない旨の在室情報を有する場合、判定部４０は、照射室３内における対象者Ｃが検知されない状態であると判定する。記録部１８の在室情報において、扉前受付部３１及び扉後受付部３２に入室する旨を入力した全ての対象者Ｃにより扉前受付部３１及び扉後受付部３２に退室する旨が入力された記録になっている場合、判定部４０は、照射室３内における対象者Ｃが検知されない状態であると判定する。
【００７２】
在室判定処理（Ｓ２６）において、記録部１８が照射室３内の対象者Ｃがいる旨の在室情報を有する場合、判定部４０は、照射室３内における対象者Ｃが検知されない状態ではない（すなわち対象者Ｃが一人でも検知されている状態）と判定する。記録部１８の在室情報において、対象者Ｃにより扉前受付部３１又は扉後受付部３２の少なくともいずれかに退室する旨が入力されていない記録になっている場合、判定部４０は、照射室３内における対象者Ｃが検知されない状態ではないと判定する。この場合、制御装置１０は、予め定められた所定の時間後に再び在室判定処理（Ｓ２６）を行う。この場合、制御装置１０は、対象者Ｃ又は管理者に確認するように警告を報知してもよい。その後、他の対象者Ｃにより退室開始入力処理（Ｓ１６）及び退室開始記録処理（Ｓ１８）、又は、退室入力処理（Ｓ２２）及び退室記録処理（Ｓ２４）の少なくとも一組が実行され、在室判定処理（Ｓ２６）において再び全ての対象者Ｃが照射室３から退室しているかが判定される。他の対象者Ｃが既に行った処理については、制御装置１０により適宜処理が省略される。
【００７３】
在室判定処理（Ｓ２６）において、判定部４０により照射室３内における対象者Ｃが検知されない状態であると判定された場合、続いて第２受付過程Ｓ２００では、制御装置１０は、第１受付過程Ｓ１００における扉閉塞処理（Ｓ２８）と、照射処理（Ｓ３０）と、同一の処理を実行する。
【００７４】
以上、本実施形態の中性子捕捉療法システム１によると、照射室３内における患者Ｓ（被照射体）以外の人である対象者Ｃの検知の確実性を向上させることができる。中性子線Ｎの照射時において照射室３内に対象者Ｃが残っているという事象の発生を抑制し、患者Ｓに対する中性子線Ｎの照射の中断を抑制することができる。また、受付部３０において対象者Ｃが入室する旨又は退室する旨が入力されることで、判定部４０において照射室３内における対象者Ｃが検知されないか否かが判定される。従って、検知部２０は容易に照射室３内における対象者Ｃを検知することができる。また、照射室３内における対象者Ｃは、受付部３０における入力及び運転制御部１７における遮蔽扉Ｄ１の開閉に基づいて管理される。従って、判定部４０は、照射室３内における対象者Ｃが検知されないか否かについて高い精度で判定することができる。
【００７５】
＜第２実施形態＞
次に、第２実施形態に係る中性子捕捉療法システム１について説明する。本実施形態の説明では、第１実施形態との相違点を説明し、重複する説明を省略する。第２実施形態に係る中性子捕捉療法システム１Ａは、第１実施形態に係る中性子捕捉療法システム１と比較して、検知部が検出器及び推定部を有する点、判定部が推定部の推定結果に基づき照射室内における対象者が検知されない状態か否かを判定する点において相違する。
【００７６】
検知部２０は、検出器５０を有する。検知部２０は、推定部６０を有しうる。図４は、第２実施形態に係る中性子捕捉療法システムを模式的に示す平面図である。図４に示すように、検出器５０は、照射室３、準備室４又は連絡室１４などに設けられ、照射室３内における対象者Ｃを検知する。すなわち、検出器５０は、対象者Ｃが照射室３に入室する又は退室する際に通る場所に設けられ、例えば、照射室３と連絡室１４とを連通する場所に設けられる。検出器５０は、例えば、遮蔽扉Ｄ１付近に設けられる。
【００７７】
検出器５０は、例えばレーザセンサである。検出器５０は、光を発光する発光器５１、及び、発光器５１からの光を受光する受光器５２を有する。発光器５１が発光する光は、例えばレーザである。発光器５１と受光器５２との間に患者Ｓ、治療台１５又は対象者Ｃなどの通過体が通るように、発光器５１及び受光器５２は離間して設けられる。発光器５１から受光器５２に向けて発光される光の光路と対象者Ｃの動線とが交差するように設けられる。発光器５１と受光器５２とは、対象者Ｃとそれ以外の通過体とを判別しやすい位置に設けられる。発光器５１と受光器５２とは、例えば、治療台１５の長辺が、発光器５１から受光器５２に向けて発光される光の光路と交差する高さに設けられる。
【００７８】
発光器５１から発光される光が治療台１５又は対象者Ｃなどの通過体によって遮られることで、受光器５２において受光されない。少なくとも受光器５２は、遮光され始めた時間である遮光開始時間及び再び受光し始めた時間である遮光終了時間を推定部６０に送信する。受光器５２は、遮光されている時間である遮光経過時間を直接計測し、推定部６０に送信してもよい。
【００７９】
検出器５０は、複数設けられてもよい。すなわち、検出器５０は、複数の発光器５１及び複数の受光器５２を有する。発光器５１と受光器５２とは一対一にそれぞれ対応する。発光器５１及び受光器５２の少なくとも一組である扉前検出セット５３は、例えば、連絡室１４内の遮蔽扉Ｄ１付近に設けられる。発光器５１及び受光器５２の少なくとも一組である扉後検出セット５４は、例えば、照射室３内の遮蔽扉Ｄ１付近に設けられる。扉前検出セット５３と扉後検出セット５４との間の距離は、少なくとも治療台１５の短辺と比較して短くなるように離間して設けられる。
【００８０】
推定部６０は、複数の検出器５０の検出結果に基づき、照射室３内における対象者Ｃの存在を推定する。推定部６０は、複数の検出器５０と接続される。推定部６０は、例えば、管理室６の制御装置１０に設けられる。推定部６０は、例えば、コンピュータなどの制御装置から構成される。推定部６０のハードウェアは、例えば、ＣＰＵ（Central Processing Unit）である。
【００８１】
推定部６０は、受光器５２により得られた遮光開始時間及び遮光終了時間から遮光されている時間である遮光経過時間を算出する。推定部６０は、受光器５２から遮光経過時間を直接取得してもよい。推定部６０は、扉前検出セット５３及び扉後検出セット５４から得られた検出結果に基づいて、扉前検出セット５３における発光器５１と受光器５２との間、及び、扉後検出セット５４における発光器５１と受光器５２との間を通過した通過体の移動方向を推定する。扉前検出セット５３における遮光開始時間が扉後検出セット５４における遮光開始時間と比較して早い場合、推定部６０は、通過体が照射室３内に入室したと推定する。扉前検出セット５３における遮光開始時間が扉後検出セット５４における遮光開始時間と比較して遅い場合、推定部６０は、通過体が照射室３から退室したと推定する。
【００８２】
推定部６０における通過体の移動方向の推定として、遮光終了時間同士を比較して推定してもよい。すなわち、扉前検出セット５３における遮光終了時間が扉後検出セット５４における遮光終了時間と比較して早い場合、推定部６０は、通過体が照射室３内に入室したと推定する。扉前検出セット５３における遮光終了時間が扉後検出セット５４における遮光終了時間と比較して遅い場合、推定部６０は、通過体が照射室３から退室したと推定する。
【００８３】
遮光開始時間及び遮光終了時間によって得られた通過体の移動方向の各推定結果が一致しない場合、推定部６０は、発光器５１及び受光器５２の他の組み合わせの遮光開始時間又は遮光終了時間を利用することで、通過体の移動方向を推定してもよい。移動方向に基づき、推定部６０は、照射室３に入室し、かつ、退室していない対象者Ｃの人数などを推定する。
【００８４】
推定部６０は、扉前検出セット及び扉後検出セット５４から得られた検出結果に基づいて、扉前検出セット５３の間及び扉後検出セット５４の間を通過した通過体の存在を推定する。推定部６０は、扉前検出セット５３の遮光開始時間から遮光終了時間までに扉後検出セット５４の遮光開始時間が計測され、かつ、扉前検出セット５３又は扉後検出セット５４の遮光経過時間が他の通過体の遮光経過時間と比較して長い場合、照射室３に入室する治療台１５と推定することができる。推定部６０は、扉後検出セット５４の遮光開始時間から遮光終了時間までに扉前検出セット５３の遮光開始時間が計測された場合、かつ、扉前検出セット５３又は扉後検出セット５４の遮光経過時間が他の通過体の遮光経過時間と比較して長い場合、照射室３から退室する治療台１５と推定することができる。
【００８５】
推定部６０は、上記以外の場合、通過体を対象者Ｃと推定することができる。例えば、扉前検出セット５３及び扉後検出セット５４において遮光経過時間が治療台１５における遮光経過時間と比較して短い場合は、対象者Ｃが扉前検出セット５３の間及び扉後検出セット５４の間において同時に足が接地した影響だと推定することができる。推定部６０は、推定された対象者Ｃの移動方向、人数などの推定結果を記録部１８において在室情報として記録する。
【００８６】
なお、検知部２０は、遮蔽扉Ｄ１の開閉を操作する開閉ボタン３３を有してもよい。開閉ボタン３３は、連絡室１４の壁面に設けられる。開閉ボタン３３は、例えば、扉前検出セット５３と比較して照射室３から遠い位置に設けられる。対象者Ｃは、例えば、開閉ボタン３３を押すことで運転制御部１７を介して開放又は閉塞する。開閉ボタン３３は、例えばタッチパネルである。このとき、照射室３内に開閉ボタンが設けられてもよい。判定部４０は、記録部１８の在室情報における推定部６０の推定結果に基づいて、照射室３内における対象者Ｃが検知されないか否かを判定する。
【００８７】
運転制御部１７は、在室情報において照射室３内に少なくとも一人の対象者Ｃが存在していると示される場合には、遮蔽扉Ｄ１を開放した状態とする。対象者Ｃが照射室３内に存在している状態での中性子線Ｎの照射はなされないため、照射制御部１６は、遮蔽扉Ｄ１が開放されている状態での中性子線Ｎの照射は行わない。また、運転制御部１７は、在室情報において照射室３内に全ての対象者Ｃが存在していないと示される場合には、遮蔽扉Ｄ１を閉塞した状態とする。対象者Ｃが照射室３内に存在していない状態では中性子線Ｎの照射が可能なため、照射制御部１６は、遮蔽扉Ｄ１が閉塞された状態において中性子線Ｎの照射を行う。
【００８８】
次に、検出器５０及び推定部６０において、対象者Ｃが照射室３に入室した後に退室するまでの検出過程を説明する。図５は、第２実施形態に係る照射室内における対象者の検知過程を示すフローチャートである。図５に示す検出過程Ｓ３００においては、まず、起動処理（Ｓ４０）として、制御装置１０は、発光器５１及び受光器５２をそれぞれ起動する。発光器５１は、光を発光する。受光器５２は、発光器５１からの光を受光する。発光器５１は、例えば、受光器５２に向けてレーザの照射を開始する。
【００８９】
続いて、通過体判定処理（Ｓ４２）として、判定部４０は、所定の時間内で複数の検出器５０において通過体を検出したか否かを判定する。１つの検出器５０のみが通過体を検出した場合、判定部４０は、通過体を検出したとは判定しない。すなわち、１つの受光器５２が遮光されている状態であり、かつ、他の受光器５２が遮光されていない場合、例えば、推定部６０は、通過体ではなく物体が発光器５１と受光器５２との間に設けられた場合に生じると推定する。判定部４０により通過体が検出されたと判定された場合、制御装置１０は次の処理に移行する。判定部４０により通過体が検出されていないと判定された場合、制御装置１０は、所定の時間後に再び通過体判定処理（Ｓ４２）を実行する。
【００９０】
続いて、遮蔽扉判定処理（Ｓ４４）として、判定部４０は、遮蔽扉Ｄ１が開放された状態か否かを判定する。入室を意図した対象者Ｃは、開閉ボタン３３を操作したうえで、照射室３に入室する前に遮蔽扉Ｄ１を開放する。対象者Ｃ以外の通過体は、開閉ボタン３３を操作しないため、遮蔽扉Ｄ１が開放されることはない。判定部４０により遮蔽扉Ｄ１が開放された状態であると判定された場合、制御装置１０は次の処理に移行する。判定部４０により遮蔽扉Ｄ１が開放された状態ではないと判定された場合、制御装置１０は、所定の時間後に再び通過体判定処理（Ｓ４２）を実行する。
【００９１】
続いて、治療台判定処理（Ｓ４６）として、判定部４０は、所定の時間内で複数の検出器５０において通過体を同時に検出したか否かを判定する。複数の検出器５０によって通過体が同時に検出された場合、推定部６０において、検出された通過体は、少なくとも、互いに隣接する複数の検出した検出器５０の間隔だけの長さを有する通過体と推定される。この場合の通過体は、例えば患者Ｓ又は治療台１５である。判定部４０により通過体を同時に検出された状態であると判定された場合、制御装置１０は、所定の時間後に再び通過体判定処理（Ｓ４２）を実行する。判定部４０により通過体を同時に検出された状態ではないと判定された場合、制御装置１０は次の処理に移行する。この場合、推定部６０において、通過体は対象者Ｃであると推定される。
【００９２】
続いて、検出判定処理（Ｓ４８）として、推定部６０は、検出器５０において扉前検出セット５３、扉後検出セット５４の順で対象者Ｃを検知したか否かを判定する。検出器５０が扉前検出セット５３、扉後検出セット５４の順で対象者Ｃを検知した場合、推定部６０は、対象者Ｃの移動方向が照射室３に入室する方向だと推定する。この場合、続いて、カウントアップ処理（Ｓ５０）として、推定部６０は、照射室３内の対象者Ｃの人数が１人増加したとして、照射室３内の対象者Ｃの人数を算出する。推定部６０は、例えば照射室３に入室する対象者Ｃが１人目であった場合、初期値を「０」と設定して、カウントを「１」と算出する。
【００９３】
検出判定処理（Ｓ４８）において、検出器５０が扉前検出セット５３、扉後検出セット５４の順で対象者Ｃを検知していない場合、推定部６０は、対象者Ｃの移動方向が照射室３から退室する方向だと推定する。この場合、続いて、カウントダウン処理（Ｓ５２）として、推定部６０は、照射室３内の対象者Ｃの人数が１人減少したとして、照射室３内の対象者Ｃの人数を算出する。推定部６０は、例えば照射室３に入室していた対象者Ｃが２人いた場合に、照射室３から退室する対象者Ｃが１人目であった場合、カウントを「１」と算出する。
【００９４】
カウントアップ処理（Ｓ５０）又はカウントダウン処理（Ｓ５２）に続いて、記録処理（Ｓ５４）として、推定部６０は、人数などの推定結果を記録部１８に記録させる。また、このとき、制御装置１０は遮蔽扉Ｄ１の開閉状態を取得し、記録部１８に遮蔽扉Ｄ１の開閉状態を記録させる。
【００９５】
続いて、人数判定処理（Ｓ５６）として、判定部４０は、照射室３内の対象者Ｃの人数が初期値か否かを判定する。判定部４０は、記録部１８の在室情報と推定部６０により設定された初期値とを比較して判定する。判定部４０により照射室３内の対象者Ｃの人数が初期値であると判定された場合、制御装置１０は次の処理に移行する。判定部４０により照射室３内の対象者Ｃの人数が初期値ではないと判定された場合、照射制御部１６における照射禁止フラグはＯＮのままである。制御装置１０は、所定の時間後に再び通過体判定処理（Ｓ４２）を実行する。
【００９６】
人数判定処理（Ｓ５６）において、判定部４０により照射室３内の対象者Ｃの人数が初期値であると判定された場合、照射制御部１６における照射禁止フラグはＯＦＦとなる。続いて、照射処理（Ｓ５８）として、照射制御部１６は、中性子線照射部２を介して中性子線Ｎを照射させる。照射処理（Ｓ５８）は、第１実施形態の照射処理（Ｓ３０）と同一の処理である。
【００９７】
以上、本実施形態の中性子捕捉療法システム１Ａによると、照射室３内における患者Ｓ（被照射体）以外の人である対象者Ｃの検知の確実性を向上させることができる。中性子線Ｎの照射時において照射室３内に対象者Ｃが残っているという事象の発生を抑制し、患者Ｓに対する中性子線Ｎの照射の中断を抑制することができる。また、検出器５０は、光を用いることで対象者Ｃの入退室の動作を自動的に検出することができる。従って、判定部４０は対象者Ｃの動きに制限を設けることなく、容易に照射室３内における対象者Ｃが検知されないか否かを判定することができる。
【００９８】
また、推定部６０によれば、複数の検出器５０の検出タイミングの差などに基づき、対象者Ｃが入室方向へ移動しているか、退出方向へ移動しているかを推定することで、照射室３内における対象者Ｃの存在を推定することができる。また、患者Ｓ（被照射体）は対象者Ｃと比較して大きな治療台１５に載せられて入室するため、複数の検出器５０が同時に反応する。そのため、推定部６０は、照射室３内に入室又は退室する対象者Ｃと、対象者Ｃ以外の患者Ｓ（被照射体）又は物体との区別をした上で、照射室３内における対象者Ｃの存在を推定することができる。従って、判定部４０は、照射室３内における対象者Ｃが検知されないか否かについて高い精度で判定することができる。
【００９９】
＜第３実施形態＞
次に、第３実施形態に係る中性子捕捉療法システム１Ｂについて説明する。本実施形態の説明では、第２実施形態との相違点を説明し、重複する説明を省略する。第３実施形態に係る中性子捕捉療法システム１Ｂは、第１実施形態に係る中性子捕捉療法システム１と比較して、検知部が熱感知部を有する点、判定部が熱感知部の感知の結果に基づき照射室内における対象者が検知されない状態か否かを判定する点において相違する。
【０１００】
検知部２０は、熱感知部を有する。図６は、第３実施形態に係る中性子捕捉療法システムを模式的に示す側面図である。図６に示すように、熱感知部７０は、照射室３に設けられ、照射室３内における対象者Ｃを検知する。熱感知部７０は、照射室３内において熱源の移動を感知する。熱感知部７０は、例えば赤外線センサである。熱感知部７０が熱源の移動を感知した場合、制御装置１０は、対象者Ｃを検知したとして記録部１８に在室情報として記録する。熱感知部７０は、人の体温に近い範囲の温度（例えば、３３℃〜４３℃）と検知した熱源が移動した場合には、制御装置１０は、記録部１８に在室情報として記録してもよい。
【０１０１】
熱感知部７０は、死角を少なくするために複数設けられていてもよい。熱感知部７０は、例えば、上面熱感知部７１及び側面熱感知部７２を有する。上面熱感知部７１は、照射室３の上面に設けられ、照射室３の上面から照射室３の底面に向かって水平面（ＸＹ平面）における熱源の移動を感知する。側面熱感知部７２は、照射室３の少なくとも１つの側面に設けられ、照射室３の側面から垂直方向（Ｚ軸方向）における熱源の移動を感知する。
【０１０２】
図７は、第３実施形態に係る熱感知部の感知範囲を模式的に示す平面図である。図７に示すように、熱感知部７０は、少なくとも患者Ｓが配置された場所を除く照射室３内の範囲Ｒにおける熱源の移動を感知する。これにより、照射室３内に配置された患者Ｓが動いた場合であっても、その患者Ｓを照射室３内における対象者Ｃと誤検知することが抑制される。
【０１０３】
次に、熱感知部７０において、対象者Ｃが照射室３から退室した後に中性子線Ｎを照射するまでの熱検知過程を説明する。図８は、第３実施形態に係る照射室内における対象者の検知過程を示すフローチャートである。図８に示すように熱検知過程Ｓ４００では、まず、起動処理（Ｓ７０）として、制御装置１０は熱感知部７０を起動させる。熱感知部７０の起動条件は、例えば、遮蔽扉Ｄ１が閉塞したときである。熱感知部７０は、遮蔽扉Ｄ１が閉塞してから予め定められた所定の時間だけ、熱源の移動を感知する。熱感知部７０が熱源の移動を感知する所定の時間とは、例えば３分以上５分以下である。熱感知部７０は、移動した熱源の数、すなわち対象者Ｃの人数などの結果を記録部１８に記録させる。制御装置１０は、所定の時間が経過したら次の処理に移行する。
【０１０４】
続いて、熱源判定処理（Ｓ７２）として、判定部４０は、熱感知部７０により照射室３内における対象者Ｃが検知されないか状態か否かを判定する。判定部４０は、記録部１８の在室情報に基づいて判定する。熱感知部７０により照射室３内において熱源の移動が感知されない状態であると判定された場合、制御装置１０は次の処理に移行する。熱感知部７０により照射室３内において熱源の移動が感知されない状態ではないと判定された場合、照射制御部１６における照射禁止フラグはＯＮのままである。制御装置１０は、所定の時間後に再び熱源判定処理（Ｓ７２）を実行する。
【０１０５】
熱源判定処理（Ｓ７２）において、判定部４０により照射室３内の対象者Ｃの人数が初期値であると判定された場合、照射制御部１６における照射禁止フラグはＯＦＦとなる。続いて、照射処理（Ｓ７４）として、制御装置１０は、中性子線照射部２を介して中性子線Ｎを照射させる。照射処理（Ｓ７４）は、第１実施形態の照射処理（Ｓ３０）と同一の処理である。
【０１０６】
以上、本実施形態の中性子捕捉療法システム１Ｂによると、照射室３内における患者Ｓ（被照射体）以外の人である対象者Ｃの検知の確実性を向上させることができる。中性子線Ｎの照射時において照射室３内に対象者Ｃが残っているという事象の発生を抑制し、患者Ｓに対する中性子線Ｎの照射の中断を抑制することができる。また、熱感知部７０によれば、直接、照射室３内における対象者Ｃを感知することができる。従って、判定部４０は、容易に照射室３内における対象者Ｃが検知されないか否かを判定することができる。また、熱感知部７０によれば、照射室３内に配置された患者Ｓ（被照射体）が動いた場合であっても、その患者Ｓ（被照射体）を照射室３内における対象者Ｃと誤検知することが抑制される。従って、判定部４０は、照射室３内における対象者Ｃが検知されないか否かを高い精度で判定することができる。
【０１０７】
＜変形例＞
以上、種々の例示的実施形態について説明してきたが、上述した例示的実施形態に限定されることなく、様々な省略、置換、及び変更がなされてもよい。例えば、照射室３内に設けられた光学式カメラを用いて照射室３内の対象者Ｃを検知してもよい。この場合、光学式カメラにより撮影された画像又は映像において、管理者による目視、又は制御装置１０による画像解析に基づいて、対象者Ｃを検知してもよい。
【０１０８】
また、検知部２０は、第１実施形態の受付部３０と、第２実施形態の検出器５０及び推定部６０と、第３実施形態の熱感知部７０と、光学式カメラとのいずれか二以上を組み合わせて、照射室３内における対象者Ｃの検知を実施してもよい。この場合、検知部２０によるすべての検知の結果において、判定部４０が照射室３内における対象者Ｃが検知されない状態だと判定しない場合（すなわち対象者Ｃが一人でも検知されている状態）については、照射制御部１６は中性子線照射部２によって中性子線Ｎを照射させない。
【０１０９】
第１実施形態の扉前検出セット５３及び扉後検出セット５４は双方とも同じ室内にあってもよい。対象者Ｃを検知することができるのであれば、準備室４又は連絡室１４にあってもよい。第２実施形態の発光器５１は推定部６０と接続されていてもよい。
【符号の説明】
【０１１０】
１，１Ａ，１Ｂ…中性子捕捉療法システム、２…中性子線照射部、３…照射室、３ａ…遮蔽空間、３ｂ…出入口、４…準備室、６…管理室、７…加速器、８…中性子線生成部、８ａ…減速材、８ｂ…遮蔽体、１０…制御装置、１１…荷電粒子線生成室、１２…ビーム輸送路、１４…連絡室、１５…治療台、１６…照射制御部、１７…運転制御部、１８…記録部、２０…検知部、３０…受付部、３１…扉前受付部、３２…扉後受付部、３３…開閉ボタン、４０…判定部、５０…検出器、５１…発光器、５２…受光器、５３…扉前検出セット、５４…扉後検出セット、６０…推定部、７０…熱感知部、７１…上面熱感知部、７２…側面熱感知部、Ｄ１…遮蔽扉、Ｄ２…扉、Ｎ…中性子線、Ｐ…荷電粒子線、Ｓ…患者、Ｔ…ターゲット、Ｗ，Ｗ１，Ｗ２，Ｗ３…遮蔽壁。
【図１】
2020130643.tif 000003
【図２】
2020130643.tif 000004
【図３】
2020130643.tif 000005
【図４】
2020130643.tif 000006
【図５】
2020130643.tif 000007
【図６】
2020130643.tif 000008
【図７】
2020130643.tif 000009
【図８】
2020130643.tif 000010